(57)【要約】【課題】広告を容易に取り替えられ、既存の買物カゴと同じようにコンパクトに重ねられる店内用買物カゴを提供する。【解決手段】買物カゴ本体２の内側面に無孔凹平面の広告表示部３を設け、その広告表示部の外周に広告紙Ｂをその表面を覆う透明板Ｓとともに差し入れ可能な差し込み溝５を設けて、差し込み溝に広告紙と透明板を差し入れる。そして、広告紙を透明板とともに買物カゴ本体の開口側に引き出し、新しい広告紙と透明板を重ねて差し込み溝に差し込んで広告紙を取り替える。また、広告紙を、店内用買物カゴ１を備える小売店以外の広告にして、広告収入を得る。【選択図】図１
2010099382.tif 000002
【特許請求の範囲】
【請求項１】
店内用買物カゴであって、
前記店内用買物カゴの内側面に無孔凹平面の広告表示部を有し、
前記広告表示部の外周に、広告紙をその表面を覆う透明板とともに差し入れ可能な差し込み溝を有することを特徴とする店内用買物カゴ。
【請求項２】
前記広告紙が、店内用買物カゴを備える小売店以外の広告であることを特徴とする請求項１に記載の店内用買物カゴ。
【発明の詳細な説明】
【技術分野】
【０００１】
この発明は、スーパーマーケットやショッピングセンターなどのセルフサービス方式の小売店の店内に備えられている店内用買物カゴに関し、特に広告媒体としても利用できる店内用買物カゴに関する。
【背景技術】
【０００２】
スーパーマーケットやショッピングセンターなどのセルフサービス方式の小売店の店内には、買物客が陳列されている商品をレジに運ぶために使用する店内用買物カゴが備えられている。この買物カゴには、一般にその側面の一部に孔（あな）のない平らな面（以下、無孔平面という）が設けられており、その外側の面に店名が印刷、または店名を印刷したシールが貼（は）り付けられている。
【０００３】
広告媒体としても利用できる店内用買物カゴとしては、前記無孔平面の内側の面に、広告表示が印刷された広告シール（特許文献１において広告用シートという）を貼り付けるようにしたものが提案されている（例えば、特許文献１参照）。
【０００４】
また、買物カゴの内側の側面に枠を設け、その枠に広告紙や広告ボードを差し込み、さらに上部を固定枠で固定したものが提案されている（例えば、特許文献２参照）。
【特許文献１】実用新案登録第３１２６４７７号公報（段落０００５、図４）
【特許文献２】特開平９−１２１９１９号公報（段落０００４、図１）
【発明の開示】
【発明が解決しようとする課題】
【０００５】
しかしながら、前記特許文献１に係る買物カゴでは、広告シールの貼り替え作業、具体的には古い広告シールをきれいに剥（は）がす作業や、新しい広告シールを歪（ゆが）みなく貼る作業に手間がかかる。そのために、前記特許文献１に係る買物カゴは、定期的に交換する広告や、掲載期間の短い広告を対象にした広告媒体としては相応（ふさわ）しくない。
【０００６】
前記特許文献２に係る買物カゴでは、買物カゴの内側に設けた枠が邪魔して、買物カゴを重ねられない。また、仮に買物カゴを重ねられたとしても、枠の厚み分ほど買物カゴを重ねた際の買物カゴ同士の厚みが増し、既存の買物カゴと比べて店舗入り口やレジの周辺での買物カゴ集積場所が余分に必要となる。
【０００７】
また、前記特許文献２に係る買物カゴでは、買物カゴの内側に設けた枠に商品や買物客の手が引っ掛かり、商品が破損をすることや、買物客が怪我（けが）をする恐れもある。さらに、前記特許文献２に係る買物カゴでは、買物カゴの内側に設けた枠の異物感が気になり、特に枠に広告を差し込んでいない場合ではその異物感も顕著となり、買物カゴのデザイン性が損なわれる。そこで、仮に広告を差し込まない場合に枠を取り外すようにすると、枠の取り付けや取り外し作業が面倒となる。
【０００８】
そこで、この発明では、前記した課題を解決し、広告を容易に取り替えられるとともに、既存の買物カゴと同じようにコンパクトに重ねられる店内用買物カゴを提供することを目的とする。
【課題を解決するための手段】
【０００９】
前記課題を解決するため、請求項１に係る発明では、店内用買物カゴの内側面に無孔凹平面の広告表示部を設け、その広告表示部の外周に広告紙をその表面を覆う透明板とともに差し入れ可能な差し込み溝を設けるようにした。
【００１０】
請求項２に係る発明では、広告紙を、店内用買物カゴを備える小売店以外の広告にした。
【発明の効果】
【００１１】
請求項１に係る発明によれば、店内用買物カゴの内側面に無孔凹平面の広告表示部を設け、その広告表示部の外周に広告紙をその表面を覆う透明板とともに差し入れ可能な差し込み溝を設けるようにしたので、古い広告紙を抜き、新しい広告紙を差し入れるだけで容易に広告を取り替えることができる。そのために、請求項１に係る買物カゴを採用した小売店では、店舗従業員に開店前や閉店後の短時間で広告紙を取り替えさせることができる。また、請求項１に係る買物カゴを採用した小売店では、例えば週末の金、土、日の特売に合わせて３日間だけ広告紙を入れたいといった短期間掲載の要望にも応じることができる。
【００１２】
また、請求項１に係る発明によれば、広告表示部を店内用買物カゴの内側面に設けた凹（おう）平面とし、その凹平面の外周に、具体的には凹平面と買物カゴ内側面とを結ぶ壁面に、差し込み溝を設けるようにしたので、買物カゴの内側が出っ張らない。そのために、既存の買物カゴと同じようにコンパクトに重ねることができ、請求項１に係る買物カゴを既存の買物カゴと同じ寸法にすると、店舗入り口やレジの周辺での買物カゴ集積場所も既存の買物カゴと同じ面積で足りる。そして、請求項１に係る買物カゴと既存の買物カゴを重ねることもできるために、請求項１に係る買物カゴを部分的に採用することもできる。
【００１３】
またさらに、買物カゴの内側が出っ張らないために、買物カゴの内側に商品や買物客の手が引っ掛かることもなく、異物感も生じず買物カゴのデザイン性が損なわれることもない。
【００１４】
さらに、請求項１に係る発明によれば、広告紙をその表面を覆う透明板とともに差し込み溝に差し入れるようにしたので、広告紙に買物カゴに入れた商品や買物客の手が直接に触れることがない。そのために、広告紙の破損や広告紙の印字用インクが商品に付着することもない。また、請求項１に係る発明によれば、買物カゴに広告紙を入れておくといった従来の方法と比べて広告紙を取り出しにくいために、広告掲載期間中に広告紙がごみになることもない。
【００１５】
請求項２に係る発明によれば、広告紙を店内用買物カゴを備える小売店以外の広告にしたので、小売店は広告紙に例えば食品会社の商品広告を掲載させて、広告収入を得ることができる。そのために、小売店は商品の売上げとは別に、広告収入といった新たな売上げを得ることができる。
【発明を実施するための最良の形態】
【００１６】
まず、この発明の創作の基礎となる事項について簡単に説明する。発明者は、買物客のほとんどが使用する買物カゴの広告効果に着目していたところ、一般には買物カゴの店外持ち出しを防止する目的に買物カゴの外面に店名が印刷等されているにすぎず、また前記特許文献１、２に係る買物カゴも普及していないことに疑問を感じていた。そして、従来の買物カゴには、そもそも広告主から広告収入を得るといった発想がないことに気づいた。
【００１７】
また発明者は、近年では広告の掲載期間が短縮化される傾向にあり、例えば週末の金、土、日の３日間だけ広告を掲載したいといった短期間掲載の要望が強いことに着目した。そして、特許文献１に係る買物カゴのように広告シールを貼り付けるものでは、広告シールの貼り替えが面倒であり、また広告シールを頻繁に貼り替えると買物カゴの広告シール貼り付け面も汚れることから、小売店が採用しづらいと考えた。
【００１８】
さらに発明者は、小売店に買物カゴを採用してもらうためには、少なくとも既存の買物カゴの使いやすさを損なわないことが不可欠であると考えた。そして、特許文献２に係る買物カゴのように広告紙等を差し込むものは、広告紙等を容易に取り替えることができる点で評価できるものの、買物カゴの内側に枠などの付属物を取り付けると、既存の買物カゴと同じようにコンパクトに重ねられず、付属物に商品や買物客の手が引っ掛かる恐れもあることから、小売店が採用しづらいと考えた。
【００１９】
そこで発明者は、買物カゴの内側に出っ張りを付けることなく広告を容易に取り替えられるようにできれば、買物カゴを広告主から広告収入を得られる広告媒体として提案できると考え、この発明を創作するに至ったものである。
【００２０】
次に、この発明の実施形態について、適宜図面を参照しながら詳細に説明する。図１は、この発明に係る店内用買物カゴの斜視図である。図１に示すように、この発明に係る店内用買物カゴ１は、買物カゴ（以下、買物カゴ本体２という）の内側面に無孔凹平面の広告表示部３を有している。
【００２１】
買物カゴ本体２は、逆台形状のかごであり、その側面と底面に多数の孔（あな）が設けられている。この買物カゴ本体２は、開口周縁部に一対の可倒自在な取っ手４を備えており、取っ手４を倒すと、買物カゴ本体２同士をコンパクトに重ねられるようになっている。
【００２２】
広告表示部３は、買物カゴ本体２の内側の面に設けられた孔のない平らな面であり、周囲よりも落ち込んだ、低くい凹（くぼ）んだ平面である。ここでは、広告表示部３は、四角形であり、買物カゴ本体２の短辺側にそれぞれ一つ設けられている。そして、広告表示部３の外周には、広告紙Ｂをその表面を覆う透明板Ｓとともに差し入れ可能な差し込み溝５が設けられている。
【００２３】
図２は、この発明に係る店内用買物カゴ１の短辺側の要部横断面図である。図２に示すように、差し込み溝５は横断面Ｌ字型の溝であり、ここでは買物カゴ本体２の内側の面と面一になるように延設されている。そして、この発明に係る店内用買物カゴ１では、広告表示部３と、その両側の対向する差し込み溝５，５とによって、横断面Ｔ字型の溝を形成しており、この溝に広告紙Ｂをその表面を覆う透明板Ｓとともに差し入れられるようになっている。また、この差し込み溝５は、図１に示すように、買物カゴ本体２の開口側を除く３辺に設けられており、広告紙Ｂと透明板Ｓを買物カゴ本体２の開口側から差し入れやすいようになっている。
【００２４】
広告紙Ｂは、広告が印刷された四角い紙であり、ここでは広告表示部３とほぼ同じ大きさになるように定められている（図１参照）。この広告紙Ｂには、店内用買物カゴ１を備える小売店以外の広告、すなわち他者の広告が印刷されている。
【００２５】
透明板Ｓは、透明な四角い薄板であり、ここでは広告表示部３とほぼ同じ大きさになるように定められている（図１参照）。
【００２６】
以上のように構成された店内用買物カゴ１では、広告紙Ｂを透明板Ｓとともに買物カゴ本体２の開口側に引き出し、新しい広告紙Ｂと透明板Ｓを重ねて差し込み溝５に差し込むと、広告紙Ｂを取り替えられる。
【００２７】
図３は、この発明に係る店内用買物カゴ１における広告紙Ｂの見え方を説明する図のうち、買物客が店内用買物カゴ１を手に取るときの広告紙Ｂの見え方の説明用斜視図である。図３に示すように、店内用買物カゴ１が例えば台に積み重ねられた状態において、買物客が店内用買物カゴ１を手に取ろうとすると、広告紙Ｂが目に留（と）まる。
【００２８】
図４は、この発明に係る店内用買物カゴ１における広告紙Ｂの見え方を説明する図のうち、買物客が店内用買物カゴ１を手に持って買物をしているときの広告紙Ｂの見え方の説明用斜視図である。図４に示すように、買物客が店内用買物カゴ１を手に持っていると、買物の最中でも広告紙Ｂに視線が行く。
【００２９】
図５は、この発明に係る店内用買物カゴ１における広告紙Ｂの見え方を説明する図のうち、買物客が店内用買物カゴ１をショッピングカートＣに載せて買物をしているときの広告紙Ｂの見え方の説明用斜視図である。図５に示すように、店内用買物カゴ１をショッピングカートＣに載せていると、買物の最中でも広告紙Ｂに視線が行く。
【００３０】
このように、この発明に係る店内用買物カゴ１における広告紙Ｂは、買物客が入店してから精算までの間に必ず買物客の目に留まり、また何度も買物客の目に留まる。さらに、広告紙Ｂは、買物客の回転率に応じて、多くの買物客の目にも留まる。
【００３１】
以上のように機能する店内用買物カゴ１では、広告主の立場からは、商品が陳列されている売場でその商品を広告できるために、商品の売上げに結びつきやすいといった利点がある。また、店舗単位で広告を出せるために、大企業だけでなく、限られた商圏しか持たない地場企業も広告を出せるといった利点もある。さらに、広告媒体として広告紙Ｂ、具体的には紙といった手軽で低廉な媒体を使用しているために、地域や店舗の特徴に応じて広告内容を変えられるといった利点もある。
【００３２】
一方、小売店の立場からは、商品の売上げ以外に広告収入が見込めるといった利点がある。また、チェーン店であっても広告主や広告内容を工夫することで、店舗の特徴を出せるといった利点もある。さらに、前述したように、広告紙Ｂを容易に取り替えられるために人手や手間がかからず、既存の買物カゴと同じようにコンパクトに重ねられるといった利点もある。
【００３３】
以上、この発明の実施形態について説明したが、この発明は前記実施形態には限定されない。例えば、この発明の店内用買物カゴ１としては、スーパーマーケット、コンビニエンスストア、ドラッグストア、おもちゃ屋、大型衣服店、ディスカウントショップ、１００円ショップ、デパート地下の食品売場などの店内に備えられているものであればよい。
【００３４】
また、広告紙Ｂに掲載される商品としては、その売場に陳列されており、買物客が店内用買物カゴ１に入れる商品が好ましく、例えば食品、飲料、アルコール飲料、嗜好（しこう）品、衛生用品、ファイントイレタリー、化粧品、玩具（がんぐ）、ゲーム、雑貨、衣服などあらゆる商品が対象となる。
【図面の簡単な説明】
【００３５】
【図１】この発明に係る店内用買物カゴの斜視図である。
【図２】この発明に係る店内用買物カゴの短辺側の要部横断面図である。
【図３】この発明に係る店内用買物カゴにおける広告紙の見え方を説明する図のうち、買物客が店内用買物カゴを手に取るときの広告紙の見え方の説明用斜視図である。
【図４】この発明に係る店内用買物カゴにおける広告紙の見え方を説明する図のうち、買物客が店内用買物カゴを手に持って買物をしているときの広告紙の見え方の説明用斜視図である。
【図５】この発明に係る店内用買物カゴにおける広告紙の見え方を説明する図のうち、買物客が店内用買物カゴをショッピングカートに載せて買物をしているときの広告紙の見え方の説明用斜視図である。
【符号の説明】
【００３６】
１      店内用買物カゴ
２      買物カゴ本体
３      広告表示部
４      取っ手
５      差し込み溝
Ｂ      広告紙
Ｓ      透明板
【図１】
2010099382.tif 000003
【図２】
2010099382.tif 000004
【図３】
2010099382.tif 000005
【図４】
2010099382.tif 000006
【図５】
2010099382.tif 000007